(57)【要約】      （修正有）【課題】スピーカを搭載した筐体内でアンテナを互いに近接した電子デバイスにおいて、アンテナ間の良好な分離を実現する電子デバイスを提供する。【解決手段】電子デバイス１０は、筐体１２内に搭載されたスピーカ７６を有する。第１のアンテナ４０Ａ及び第２のアンテナ４０Ｂが、プリント回路７０上に形成される。スピーカ７６の可動部上の金属層をパターン化して、スロットアンテナ分離要素又は他のアンテナ分離要素を形成する。アンテナ分離要素が、第１のアンテナ４０Ａ及び第２のアンテナ４０Ｂの動作周波数で共振を呈するように構成され、これによって、第１のアンテナと第２のアンテナとの間の分離を強化する。【選択図】図３
2018207491.tif 000002
【特許請求の範囲】
【請求項１】
電子デバイスであって、
筐体と、
前記筐体の内部の第１及び第２のアンテナと、
移動部材を有する前記筐体内のスピーカと、
前記第１のアンテナと前記第２のアンテナとの間の高周波分離を強化するように構成された、前記移動部材上のアンテナ分離要素と、
を備える、電子デバイス。
【請求項２】
前記アンテナ分離要素が寄生アンテナ共振要素から形成される、請求項１に記載の電子デバイス。
【請求項３】
前記寄生アンテナ共振要素が金属層内のスロットを備える、請求項２に記載の電子デバイス。
【請求項４】
前記移動部材上に前記金属層が形成される、請求項３に記載の電子デバイス。
【請求項５】
前記金属層が、前記移動部材に積層された金属箔を含む、請求項４に記載の電子デバイス。
【請求項６】
前記第１及び第２のアンテナが、第１及び第２のデュアルバンド無線ローカルエリアネットワークアンテナをそれぞれ含む、請求項３に記載の電子デバイス。
【請求項７】
前記第１及び第２のアンテナが、２．４ＧＨｚ及び５ＧＨｚで動作するデュアルバンドアンテナを含む、請求項２に記載の電子デバイス。
【請求項８】
前記第１及び第２のアンテナがプリント回路上の金属トレースから形成されており、前記プリント回路がエアギャップによって前記移動部材から分離されている、請求項１に記載の電子デバイス。
【請求項９】
前記第１及び第２のアンテナ用の第１及び第２のアンテナ空胴をそれぞれ形成する、前記プリント回路上の第１及び第２の遮蔽缶を更に備える、請求項８に記載の電子デバイス。
【請求項１０】
前記第１及び第２の遮蔽缶上の導電性ガスケットを更に備える、請求項９に記載の電子デバイス。
【請求項１１】
基板を有する入出力回路を更に備え、前記ガスケットが前記第１及び第２の遮蔽缶と前記基板との間に延在する、請求項１０に記載の電子デバイス。
【請求項１２】
前記第１及び第２のアンテナに結合された送受信機回路と、
前記送受信機回路並びに前記第１及び第２のアンテナを使用してメディアを受信するように構成されており、前記スピーカを介して前記メディアを再生するように構成された制御回路と、
を更に備える、請求項１に記載の電子デバイス。
【請求項１３】
電子デバイスであって、
上面を有する円筒形筐体と、
前記上面が重なったプリント回路と、
前記プリント回路上の第１及び第２のアンテナと、
前記第１のアンテナと前記第２のアンテナとの間の高周波分離を提供するように構成されたスロットアンテナ分離要素を形成する開口部を有する金属層と、
を備える、電子デバイス。
【請求項１４】
前記円筒形筐体の長手方向軸に沿って対向するスピーカを更に備える、請求項１３に記載の電子デバイス。
【請求項１５】
前記スロットアンテナ分離要素が前記スピーカによって支持される、請求項１４に記載の電子デバイス。
【請求項１６】
前記スピーカが、前記金属層に結合された可動スピーカ部材を有する、請求項１５に記載の電子デバイス。
【請求項１７】
前記第１及び第２のアンテナが無線ローカルエリアネットワークアンテナを含む、請求項１４に記載の電子デバイス。
【請求項１８】
電子デバイスであって、
可動スピーカ構造体を有するスピーカと、
前記可動スピーカ構造体上の金属層と、
前記金属層から形成されたアンテナ構造体と、
を備える、電子デバイス。
【請求項１９】
第１及び第２の無線ローカルエリアネットワークアンテナを更に備え、前記アンテナ構造体が、前記第１の無線ローカルエリアネットワークアンテナと前記第２の無線ローカルエリアネットワークアンテナとの間の分離を提供するアンテナ分離要素である、請求項１８に記載の電子デバイス。
【請求項２０】
前記第１及び第２の無線ローカルエリアネットワークが形成されたプリント回路と、
前記プリント回路と平行な面を有する筐体と、
前記筐体の前記面上の少なくとも１つのタッチセンサを含む入出力回路と、
を更に備える、請求項１９に記載の電子デバイス。
【発明の詳細な説明】
【背景技術】
【０００１】
本出願は、その全体が参照により本明細書に組み込まれる、２０１７年７月２０日付出願の米国特許出願第１５／６５５，７０２号、及び２０１７年６月２日付出願の仮特許出願第６２／５１４，６５７号に対する優先権を主張する。
本出願は電子デバイスに関し、より具体的には、無線通信回路を有する電子デバイスに関する。
【０００２】
電子デバイスは、多くの場合、無線通信機能を備えている。小さいフォームファクタの無線デバイスに対する消費者の需要を満たすために、小型電子デバイスのエンクロージャ内にアンテナを設けることが望ましい場合がある。この場合、所望のアンテナ性能目標を達成することが困難となり得る。例えば、アンテナを互いに近接して搭載した場合に、アンテナ間の良好な分離を実現することが困難となり得る。
【発明の概要】
【０００３】
電子デバイスは、筐体内に搭載されたスピーカを有してもよい。筐体は、円筒形状、又は長手方向軸及び長手方向軸が通る上面を特徴とする他の形状を有してもよい。上面と平行に、プリント回路が配置されてもよい。タッチセンサなどの入出力回路及び他の構成要素が、上面上に、プリント回路と重なるように搭載されてもよい。
【０００４】
第１及び第２のアンテナが、デバイスの対向する側で、プリント回路上に形成されてもよい。プリント回路に金属遮蔽缶などの遮蔽構造体が搭載されてもよく、これらの遮蔽構造体は第１及び第２のアンテナと重なってもよい。遮蔽構造体は、第１及び第２のアンテナのためのアンテナ空胴を形成してもよく、これらの遮蔽構造体は、入出力回路から第１及び第２のアンテナを分離するのに役立つ場合がある。
【０００５】
円形の外形を有するスピーカが、筐体内に、長手方向軸に沿って対向するように搭載されてもよい。スピーカ内の移動部材上の金属層をパターン化して、スロットアンテナ分離要素又は他のアンテナ分離要素を形成してもよい。アンテナ分離要素が、第１及び第２のアンテナに関連付けられた動作周波数で共振を呈するように構成されてもよく、これによって、第１のアンテナと第２のアンテナとの間の分離が強化され得る。
【０００６】
高周波送受信機回路が、アンテナに結合されてもよく、ストリーミングメディア及び他の情報を無線で受信するために使用されてもよい。デバイスの動作を制御するために、筐体内の制御回路が使用されてもよい。動作中、制御回路は、高周波送受信機回路及びアンテナを介してメディアを受信してもよく、スピーカを使用してメディアを再生してもよい。
【図面の簡単な説明】
【０００７】
【図１】一実施形態に係る例示的な電子デバイスの模式図である。
【図２】一実施形態に係る例示的な電子デバイスの斜視図である。
【図３】一実施形態に係る例示的な電子デバイスの側断面図である。
【図４】一実施形態に係る、一対のデュアルバンド無線ローカルエリアネットワークアンテナを形成するように構成された金属トレースを有する例示的な円形プリント回路の平面図である。
【図５】一実施形態に係る、スロットアンテナ分離要素を形成するように構成された開口部を有する、移動スピーカ構造上の例示的な金属層の平面図である。
【発明を実施するための形態】
【０００８】
図１の電子デバイス１０などの電子デバイスは、無線回路を備え得る。無線回路は、無線ローカルエリアネットワークアンテナ又は他のアンテナなどのアンテナを含んでもよい。電子デバイス１０は、ラップトップコンピュータ、組み込み型コンピュータを含むコンピュータモニタ、タブレットコンピュータ、セルラー電話機、メディアプレーヤ、又は他のハンドヘルド若しくはポータブル電子デバイスなどのコンピューティングデバイス、腕時計デバイス、ペンダントデバイス、ヘッドホン若しくはイヤホンデバイス、眼鏡に埋め込まれたデバイス若しくはユーザの頭部に身に着けられる他の機器、又は他の着用可能な若しくはミニチュアデバイスなどの小型デバイス、テレビ、組み込み型コンピュータを含まないコンピュータディスプレイ、ゲーミングデバイス、ナビゲーションデバイス、ディスプレイを有する電子機器がキオスク若しくは自動車に搭載されるシステムなどの組み込み型システム、インターネットに接続された音声制御式の無線スピーカ、これらのデバイスのうちの２つ以上の機能を実装する機器、又は他の電子機器であってもよい。
【０００９】
図１に示すように、デバイス１０は、制御回路２８などの記憶及び処理回路を含んでもよい。回路２８は、ハードディスクドライブ記憶装置、不揮発性メモリ（例えば、フラッシュメモリ、又はソリッドステートドライブを形成するように構成された他の電気的にプログラム可能な読み出し専用メモリ）、揮発性メモリ（例えば、静的又は動的ランダムアクセスメモリ）などの記憶装置を含んでもよい。回路２８内の処理回路は、デバイス１０の動作を制御するために使用されてもよい。この処理回路は、１つ以上のマイクロプロセッサ、マイクロコントローラ、デジタル信号プロセッサ、特定用途向け集積回路などに基づいてもよい。
【００１０】
回路２８は、インターネット閲覧アプリケーション、ボイスオーバー・インターネット・プロトコル（voice−over−internet−protocol、ＶＯＩＰ）通話アプリケーション、電子メールアプリケーション、メディア再生アプリケーション、リマインダリストアプリケーション、カレンダアプリケーション、ショッピングアプリケーション、ホームオートメーションアプリケーション、アラーム及びタイマを設定するためのアプリケーション、オペレーティングシステム機能などのソフトウェアをデバイス１０上で実行するために使用されてもよい。外部機器との相互作用をサポートするために、通信プロトコルを実装する際に回路２８が使用されてもよい。回路２８を使用して実装され得る通信プロトコルとしては、インターネットプロトコル、無線ローカルエリアネットワークプロトコル（例えば、ＷｉＦｉ（登録商標）と称されることがあるＩＥＥＥ８０２．１１プロトコル）、Ｂｌｕｅｔｏｏｔｈ（登録商標）プロトコルなどの他の近距離無線通信リンクに対するプロトコル、セルラー電話プロトコル、アンテナダイバーシティプロトコルなどが挙げられる。
【００１１】
入出力回路４４は、入出力デバイス３２を含んでもよい。入出力デバイス３２は、デバイス１０にデータが供給されることを可能にし、及びデバイス１０から外部デバイスにデータを提供することを可能とするために使用されてもよい。入出力デバイス３２は、ユーザインタフェースデバイス、データポートデバイス、及び他の入出力構成要素を含んでもよい。例えば、入出力デバイス３２は、タッチセンサを含んでもよい。タッチセンサは、光学式タッチセンサ、静電容量式タッチセンサ、及び／又は他のタッチセンサであってもよい。例えば、入出力デバイス３２は、二次元静電容量式タッチセンサを含んでもよい。二次元タッチセンサは、状態表示灯を形成する発光ダイオード、画素（例えば、液晶ディスプレイ画素、有機発光ダイオード画素、発光ダイオード画素を形成する結晶性半導体ダイ、及び／又は他の画素）の配列を有するディスプレイ、不透明層内の（例えば、ロゴ、テキスト、グラフィックなどを形成するための）背面照光式のパターン化された開口部、及び／又は他の発光構成要素などの発光構成要素と重なってもよい。入出力デバイス３２は、タッチセンサ機能を有さないディスプレイなどの発光構成要素、ボタン（機械式、静電容量式、光学式など）、スクロールホイール、タッチパッド、キーパッド、キーボード、マイクロフォン、カメラ、ボタン、スピーカ、状態標識、装飾機能（動的に調整可能な出力をユーザに提供するための構成要素として機能し得る又は機能し得ない）を照射するための発光ダイオードなどの光源、オーディオジャック及び他のオーディオポート構成要素、デジタルデータポートデバイス、動きセンサ（加速度計）、静電容量式センサ、近接センサ、磁気センサ、力センサ（例えば、ディスプレイに加えられた圧力を検出するためにディスプレイに結合された力センサ）などを含んでもよい。
【００１２】
入出力回路４４は、無線通信をサポートするための無線回路３４を含んでもよい。無線回路３４は、１つ以上の集積回路から形成される高周波（radio−frequency、ＲＦ）送受信機回路９０、電力増幅器回路、低雑音入力増幅器、パッシブＲＦ構成要素、アンテナ４０などの１つ以上のアンテナ、伝送路９２などの伝送路、及びＲＦ無線信号を処理するための他の回路を含んでもよい。無線信号はまた、光を使用して（例えば、赤外線通信を使用して）送信されてもよい。
【００１３】
高周波送受信機回路９０は、ＷｉＦｉ（登録商標）（ＩＥＥＥ８０２．１１）通信用の２．４ＧＨｚ及び５ＧＨｚ帯域を処理するための無線ローカルエリアネットワーク送受信機回路を含んでもよく、２．４ＧＨｚのＢｌｕｅｔｏｏｔｈ（登録商標）通信帯域を処理するためのＢｌｕｅｔｏｏｔｈ（登録商標）回路を含んでもよい。所望であれば、回路９０は、セルラー電話機帯域、近距離通信帯域（例えば、１３．５６ＭＨｚ）、ミリ波帯域（例えば、６０ＧＨｚでの通信）、及び／又は他の通信帯域などの他の帯域を処理してもよい。本明細書では、高周波送受信機回路９０が無線ローカルエリアネットワーク帯域（例えば、２．４ＧＨｚ及び５ＧＨｚ）を処理する構成が、一実施例として説明される場合がある。ただし、一般に、回路９０は、対象とする全ての好適な通信帯域をカバーするように構成されてもよい。
【００１４】
無線回路３４は、アンテナ４０などの１つ以上のアンテナを含んでもよい。アンテナ４０などのアンテナは、任意の好適な種類のアンテナを使用して形成されてもよい。例えば、デバイス１０内のアンテナとしては、ループアンテナ構造体、パッチアンテナ構造体、逆Ｆアンテナ構造体、スロットアンテナ構造体、平板逆Ｆアンテナ構造体、ヘリカルアンテナ構造体、モノポールアンテナ、ダイポール、これらの設計の混成などから形成される共振要素を有するアンテナを挙げることができる。アンテナ性能を調整するために、寄生要素がアンテナ４０に含まれてもよい。いくつかの構成では、デバイス１０は、アンテナ間のクロストークの回避に役立つように、各アンテナ４０間に分離要素を有してもよい。異なる帯域及び帯域の組み合わせに対して、異なる種類のアンテナが使用されてもよい。例えば、１種類のアンテナがローカル無線リンクアンテナの形成に使用されてもよく、別の種類のアンテナがリモート無線リンクアンテナの形成に使用されてもよい。いくつかの構成では、送受信機回路９０用の異なる帯域を処理するのに、異なるアンテナが使用されてもよい。各アンテナ４０は、１つ以上の帯域をカバーしてもよい。例えば、アンテナ４０は、デュアルバンド無線ローカルエリアネットワークアンテナであってもよい。
【００１５】
図１に示すように、高周波送受信機回路９０は、伝送路９２を使用してアンテナ４０のアンテナフィード１０２に結合されてもよい。アンテナフィード１０２は、正極アンテナフィード端子９８などの正極アンテナフィード端子を含むことができ、かつ接地アンテナフィード端子１００などの接地アンテナフィード端子を有することができる。伝送路９２は、プリント回路上の金属トレース又は他の導電性構造体から形成することができ、かつ端子９８に結合された経路９４などの正極伝送路信号経路、及び端子１００に結合された経路９６などの接地伝送路信号経路を有することができる。デバイス１０内でアンテナ信号をルーティングするために、経路９２などの複数の伝送路経路が使用されてもよい。デバイス１０内の伝送路としては、同軸ケーブル経路、マイクロストリップ伝送路、ストリップライン伝送路、エッジ結合マイクロストリップ伝送路、エッジ結合ストリップライン伝送路、これらの種類の伝送路の組み合わせから形成される伝送路などを挙げることができる。フィルタ回路、スイッチング回路、インピーダンス整合回路、及び他の回路を伝送路９２などの伝送路内に介挿してもよく、及び／又は、これらなどの回路を、アンテナ４０内に組み込んでもよい（例えば、アンテナ同調をサポートするため、所望の周波数帯域での動作をサポートするため、など）。動作中、制御回路２８は、送受信機回路９０及びアンテナ（単数又は複数）４０を使用して、無線でデータを送受信してもよい。制御回路２８は、例えば、送受信機回路９０及びアンテナ（単数又は複数）４０を使用して無線でストリーミングメディアを受信してもよく、デバイス１０内のスピーカを介してメディアを再生してもよい。
【００１６】
図１のデバイス１０などの例示的な電子デバイスの斜視図が図２に示されている。図２に示すとおり、デバイス１０は、筐体１２などの筐体を有してもよい。エンクロージャ又はケースと称される場合もある筐体１２は、プラスチック、ガラス、セラミック、繊維複合材、金属（例えば、ステンレス鋼、アルミニウムなど）、ファブリック、他の好適な材料、又はこれらの材料のうちの任意の２つ以上の組み合わせで形成されてもよい。筐体１２は、筐体１２の一部若しくは全体が単一の構造体として機械加工若しくは成形される、ユニボディ構成を使用して形成されてもよく、又は複数の構造体（例えば、いくつかの部分がファブリックで覆われ、他の部分が他の筐体構造体及び／又は入出力構成要素で覆われた内部フレーム構造体）を使用して形成されてもよい。
【００１７】
図２の実施例に示すように、デバイス１０は、円筒形状の筐体を有してもよく、上部円形面１４を有してもよい。円筒形筐体は、上部円形面１４を垂直方向に通る長手方向軸（Ｚ軸）を有してもよい。スピーカ及び／又は他の構成要素は、（例えば、スピーカが筐体１２の内部で上方を向くように、又はさもなければ、スピーカが円筒形筐体の長手方向軸に沿って対向して整列されるように）デバイス１０の内部に搭載されてもよい。サウンドは、筐体１２内の開口部を通過し、筐体１２の側壁の一部又は全体を覆うファブリックを通過し、かつ／又は他の好適なサウンドポートを通過してもよい。二次元タッチセンサ及び／又は他の入力回路が面１４上に搭載されてもよく、光ベースの出力構成要素に二次元タッチセンサ（例えば、画素アレイを有するディスプレイ、発光ダイオード、及び／又は他の光ベースの出力構成要素）が重ねられてもよい。デバイス１０内の面１４上及び／又は他の部分のマイクロフォンを使用して、音声入力（例えば、デバイス１０を制御するためのユーザ音声コマンド、音声通話のための音声など）が取得されてもよい。所望であれば、デバイス１０及び筐体１２は、他の好適な形状（例えば、矩形箱形状、ドーム形状、角錐形状、球面形状、他の形状、及び／又はこれらの形状の組み合わせ）を有してもよい。図２の構成は、例示である。
【００１８】
図３は、方向５２から見た、線５０に沿って得られる図２のデバイス１０の側断面図である。図３に示すように、デバイス１０は、デバイス１０の面１４上に、入出力回路５４などの入出力デバイス（単数又は複数）を有してもよい。入出力回路５４は、基板６０などの１つ以上の基板上に、構成要素５６を含んでもよい。基板６０は、例えば、リジッド又はフレキシブルプリント回路であってもよい。構成要素５６は、ユーザからのタッチ入力及び／又は他の入力（例えば、面１４上の、デバイス１０の上方表面にユーザの指が接触するなど）を収集するために使用されてもよく、かつ／又はユーザに出力（例えば、光ベースの出力）を提供するために使用されてもよい。例えば、構成要素５６は、１つ以上の発光ダイオード、被照光式ボタンラベル、ディスプレイを形成する画素アレイ、被照光式装飾構造体、及び／又は視覚出力（状態表示灯、点滅光、テキスト、グラフィック、ビデオなどのコンテンツを含む画像）、及び／又は他の視覚出力をユーザに提供するための他の発光出力デバイスを含んでもよい。デバイス１０は、センサ、ボタン、マイク、及びユーザ出力を収集するための他の構成要素（例えば、入出力デバイス３２を参照）も有してもよく、触覚デバイス、オーディオ構成要素、及びユーザに出力を提供するための他のデバイスを有してもよい。
【００１９】
図３に示すように、デバイス１０は、スピーカ７６などの１つ以上のオーディオスピーカを含んでもよい。デバイス１０内には、スピーカ７６などの、任意の好適な数（例えば、少なくとも１つ、少なくとも２つ、少なくとも３つ、少なくとも４つ、少なくとも１０個、５０個未満、２０個未満など）のスピーカが存在してもよい。デバイス１０内のスピーカは、ツイータ、ミッドレンジドライバ、ウーファ、フルレンジスピーカなどを含んでもよい。
【００２０】
スピーカ７６は、ダイヤフラム７４（例えば、コーン、ダストカバー、及び／又は駆動時に空気を移動させ、それによってサウンドを発生させる他の移動スピーカ構造体などの可動スピーカ部材）などの可動スピーカ構造体を含んでもよい。ダイヤフラム７４は、動作中にダイヤフラム７４が自由に移動できるように、サラウンド８４などの可撓性部材によってスピーカ支持構造体８２に結合されてもよい。磁石８０などの磁石、及び電磁石７８などの電磁石が協働して、ダイヤフラム７４を移動させてもよい。例えば、スピーカ７６の使用時に、電磁石７８をオーディオ信号で駆動して、電磁石７８を磁石８０に対して方向８６に移動させることにより、スピーカ７６がオーディオ出力を生成するようにダイヤフラム７４を移動させてもよい。
【００２１】
電源構成要素及び／又は他の構成要素８４は、磁石８０を囲んでもよく、かつ／又は筐体１２の内部の他の部分に搭載されてもよい。所望であれば、図３のスピーカ７６などのスピーカは、他の構成（例えば、他の形状を有するコーン、異なる駆動装置、他の形状の磁石など）を有してもよい。図３の構成は、単なる例示に過ぎない。
【００２２】
デバイス１０は、無線ローカルエリアネットワーク（ＷｉＦｉ（登録商標））通信及び／又は他の無線通信をサポートするための一対のデュアルバンドアンテナなどの、１つ以上のアンテナ（例えば、図１のアンテナ４０を参照）を含んでもよい。例えば、デバイス１０は、アンテナ４０Ａなどの第１のアンテナ、及びアンテナ４０Ｂなどの第２のアンテナを含んでもよい。
【００２３】
アンテナ４０Ａ及び４０Ｂは、２．４ＧＨｚ及び５ＧＨｚでの信号の送受信が可能なデュアルバンドアンテナであってもよく、又は他の周波数で動作するように構成されてもよい。アンテナ４０Ａ及び４０Ｂは、プリント回路７０などの基板上の金属トレース７２から形成されてもよい。トレース７２は、プリント回路７０の上方及び／又は下方表面上に形成されてもよく、かつ／又はプリント回路７０内に埋め込まれてもよい。プリント回路７０の上方及び／又は下方表面上に、電気構成要素６８（例えば、集積回路など）が（例えば、半田を使用して）搭載されてもよい。
【００２４】
アンテナ４０Ａ及び４０Ｂとデバイス５４の回路との間の干渉を防止するために、遮蔽構造体が使用されてもよい。例えば、金属遮蔽缶６６が、プリント回路７０内の接地トレースに半田付けされてもよく、アンテナ４０Ａ及び４０Ｂと重なってもよい。図３に示すように、一方の缶６６がアンテナ４０Ａと重なってアンテナ４０Ａ用のアンテナ空胴を形成してもよく、他方の缶６６がアンテナ４０Ｂと重なってアンテナ４０Ｂ用のアンテナ空胴を形成してもよい。導電性ガスケット６２（例えば、導電性ファブリックで覆われた導電性発泡体など）の接地構造体を使用して、プリント回路６０内の金属トレースに遮蔽缶６６を接地し、それによってアンテナ４０Ａ及び４０Ｂとプリント回路６０上の回路との間の干渉を遮断してもよい。
【００２５】
接地構造体６２の存在によって、プリント回路６０とプリント回路７０との間の領域８８内でのアンテナ信号の横方向への伝搬（図３のＸＹ平面内での信号伝播）を防止する垂直遮蔽壁が形成されてもよい。
【００２６】
プリント回路７０とダイヤフラム７４との間にエアギャップ８９が存在する。これによって、アンテナ信号に対する潜在的な干渉経路が生じる。具体的には、アンテナ４０Ａから送信されたアンテナ信号がギャップ８９を通過してアンテナ４０Ｂによって受信されるか、その逆が発生する可能性がある。このような干渉によって、無線性能が低下する。
【００２７】
エアギャップ８９は、サウンド通路を形成するため、及びダイヤフラム７４が方向８６に移動し、筐体１２から（例えば、開口部、及び／又は筐体１２の側壁を覆うファブリック、及び／又は他のサウンド通路を通って）出て行くことができるサウンドを発生させることを可能にするために存在する。ガスケット６２などのガスケットをプリント回路７０の下方表面に含めると、ダイヤフラムからのサウンドが遮断されやすくなるため、アンテナの分離を強化させるために、このようなガスケットの配置を使用することはできない。
【００２８】
アンテナ４０Ａ及びアンテナ４０Ｂを互いから良好に分離するために、アンテナ分離要素がデバイス１０内のエアギャップ８９の近傍に組み込まれてもよい。具体的には、アンテナ４０Ａとアンテナ４０Ｂとの間のエアギャップ８９（例えば、筐体１２の左側にあるアンテナ４０Ａと筐体１２の対向する右側にあるアンテナ４０Ｂとの間に横方向に挟まれた位置）内に、寄生アンテナ共振要素が配置されてもよい。
【００２９】
寄生要素は、アンテナ４０Ａ及び４０Ｂに関連付けられたアンテナ周波数で共振してもよい。例えば、寄生要素は、２．４ＧＨｚのアンテナ間結合の問題が５ＧＨｚのアンテナ結合の問題よりも重大である構成では、２．４ＧＨｚで共振を呈するように同調されてもよい。寄生要素は、ギャップ８９内で電界の摂動を発生させ、ギャップ８９を経由してアンテナ４０Ａとアンテナ４０Ｂとの間を通過する信号を遮断するのに役立つ、アンテナ分離要素として機能する。具体的には、寄生要素は、ギャップ８９内でアンテナ４０Ａからの信号を遮断するのに役立つことによって、これらの信号がアンテナ４０Ｂに到達するのを阻止し、ギャップ８９内でアンテナ４０Ｂからの信号を遮断するのに役立つことによって、これらの信号がアンテナ４０Ａに到達するのを阻止する。
【００３０】
図４は、アンテナ４０Ａがアンテナ共振要素４０ＡＥなどのアンテナ共振要素をどのように有し得るかを示し、アンテナ４０Ｂがアンテナ共振要素４０ＢＥなどのアンテナ共振要素をどのように有し得るかを示す、プリント回路７０の次元Ｚに沿った図である。アンテナ４０Ａのアンテナフィード１０２Ａは、要素４０ＡＥのフィード分岐に結合された正極アンテナフィード端子９８Ａを含んでもよく、アンテナ接地１０４に結合された接地アンテナフィード端子１００Ａを含んでもよい。アンテナ４０Ａは、５ＧＨｚでの共振を強めるためのより短いアーム、及び２．４ＧＨｚでの共振を強めるためのより長いアームを有する、デュアルバンド逆Ｆアンテナであってもよい。共振要素４０ＡＥと接地１０４との間に、復路４０ＡＳＣが結合されてもよい。アンテナ４０Ｂのアンテナフィード１０２Ｂは、要素４０ＢＥのフィード分岐に結合された正極アンテナフィード端子９８Ｂを含んでもよく、アンテナ接地１０４に結合された接地アンテナフィード端子１００Ｂを含んでもよい。アンテナ４０Ｂは、５ＧＨｚでの共振を強めるためのより短いアーム、及び２．４ＧＨｚでの共振を強めるためのより長いアームを有する、デュアルバンド逆Ｆアンテナであってもよい。共振要素４０ＢＥと接地１０４との間に、復路４０ＢＳＣが結合されてもよい。
【００３１】
アンテナ４０Ａ及び４０Ｂは、互いに逆向きに、筐体１２の壁を介して外側に面し、それによってこれらのアンテナ間の分離が強化されるため、これらのアンテナはマルチインプットマルチアウトプット配置で使用されてもよい。図１の伝送路９２に関連して説明したように、フィード１０２Ａ及び１０２Ｂと高周波送受信回路９０との間に伝送路が結合されてもよい。アンテナ４０Ａ及び４０Ｂを形成する金属トレース並びに伝送路は、プリント回路７０の１つ以上の表面上に形成されてもよく、かつ／又はプリント回路７０内に埋め込まれてもよい。
【００３２】
図５は、所望の場合に、寄生スロット共振要素（スロットアンテナ分離要素）からアンテナ分離要素１０８がどのように形成され得るかを示す、ダイヤフラム７４の次元Ｚに沿った図である。図５に示すように、金属層１０６（例えば、ポリマー担体の１つ以上の層上に形成された金属トレース、プレス加工された金属箔層など）は、ダイヤフラム７４を覆ってもよい（例えば、金属層１０６は、少なくとも５０％、少なくとも８０％、９９．９９％未満、又は他の適切な量のダイヤフラム７４と重なってもよい）。層１０６の開口部から分離要素１０８が形成されてもよい。
【００３３】
金属層１０６は、金属箔を所望のパターンでプレス加工して要素１０８用のスロット形状開口部を形成し、このパターン化された箔を、ダイヤフラム７４に関連付けられた紙コーン又は他の支持構造体に（例えば、接着剤を使用して）積層することによって形成されてもよい。所望であれば、他の加工技術が使用されてもよい。例えば、選択的な導電性トレース印刷（パッド印刷、インクジェット印刷、スクリーン印刷など）を使用した金属トレースのパターン化、ブランケット金属膜のレーザー加工、フォトリソグラフィ処理などによって、要素１０８が形成されてもよい。
【００３４】
要素１０８は、要素１０８が２．４ＧＨｚで共振応答を呈するように、２．４ＧＨｚ（又は他の対象となる周波数）での波長の半分に等しい長さを有するスロットであってもよい。これは、要素１０８が２．４ＧＨｚでギャップ８９内に電界の摂動を発生させることを可能にし、それによって、特に２．４ＧＨｚでのアンテナ４０Ａとアンテナ４０Ｂとの間の高周波分離（高周波アンテナ分離）を強化するのに役立つことができる。ダイヤフラム７４の直径が直線状の半波長閉スロットを形成するのに不十分な構成では、要素１０８はＬ形状を有してもよく、又は（図５に示すように）Ｃ形状を有してもよい。所望であれば、要素１０８などのアンテナ分離要素は、Ｌ形状の金属要素、金属の直線ストリップ、又は他の好適なアンテナ共振要素の形状から形成されてもよい。分離要素は、任意の好適な周波数又は周波数範囲（例えば、２．４ＧＨｚ、５ＧＨｚなど）で共振するように構成されてもよい。所望であれば、スピーカ７６内の可動スピーカ構造体上に、他の種類の複数のスロット又は複数の分離要素が形成されてもよい。筐体１２の内部の非移動スピーカ構造体又は他の支持構造体上に分離要素（単数又は複数）が形成された構成が使用されてもよい。図５のスロットベースのアンテナ共振要素の構成は、単なる例示に過ぎない。
【００３５】
一実施形態によれば、筐体と、筐体の内部の第１及び第２のアンテナと、移動部材を有する筐体内のスピーカと、第１のアンテナと第２のアンテナとの間の高周波分離を強化するように構成された移動部材上のアンテナ分離要素とを含む電子デバイスが提供される。
【００３６】
別の実施形態によれば、アンテナ分離要素は、寄生アンテナ共振要素から形成される。
【００３７】
別の実施形態によれば、寄生アンテナ共振要素は、金属層内のスロットを含む。
【００３８】
別の実施形態によれば、金属層は、移動部材上に形成される。
【００３９】
別の実施形態によれば、金属層は、移動部材に積層された金属箔を含む。
【００４０】
別の実施形態によれば、第１及び第２のアンテナは、それぞれ第１及び第２のデュアルバンド無線ローカルエリアネットワークアンテナを含む。
【００４１】
別の実施形態によれば、第１及び第２のアンテナは、２．４ＧＨｚ及び５ＧＨｚで動作するデュアルバンドアンテナを含む。
【００４２】
別の実施形態によれば、第１及び第２のアンテナはプリント回路上の金属トレースから形成されており、プリント回路はエアギャップによって移動部材から分離されている。
【００４３】
別の実施形態によれば、電子デバイスは、それぞれ第１及び第２のアンテナ用の第１及び第２のアンテナ空胴を形成する、プリント回路上の第１及び第２の遮蔽缶を含む。
【００４４】
別の実施形態によれば、電子デバイスは、第１及び第２の遮蔽缶上の導電性ガスケットを含む。
【００４５】
別の実施形態によれば、電子デバイスは、基板を有する入出力回路を含み、ガスケットが第１及び第２の遮蔽缶と基板との間に延在する。
【００４６】
別の実施形態によれば、電子デバイスは、第１及び第２のアンテナに結合された送受信機回路と、送受信機回路並びに第１及び第２のアンテナを使用してメディアを受信するように構成されており、スピーカを介してメディアを再生するように構成された制御回路とを含む。
【００４７】
一実施形態によれば、上面を有する円筒形筐体と、上面と重なったプリント回路と、プリント回路上の第１及び第２のアンテナと、第１のアンテナと第２のアンテナとの間の高周波分離を提供するように構成されたスロットアンテナ分離要素を形成する開口部を有する金属層とを含む電子デバイスが提供される。
【００４８】
別の実施形態によれば、電子デバイスは、円筒形筐体の長手方向軸に沿って対向するスピーカを含む。
【００４９】
別の実施形態によれば、スロットアンテナ分離要素は、スピーカによって支持される。
【００５０】
別の実施形態によれば、スピーカは、金属層に結合された可動スピーカ部材を有する。
【００５１】
別の実施形態によれば、第１及び第２のアンテナは、無線ローカルエリアネットワークアンテナを含む。
【００５２】
一実施形態によれば、可動スピーカ構造体を有するスピーカと、可動スピーカ構造体上の金属層と、金属層から形成されたアンテナ構造体とを含む電子デバイスが提供される。
【００５３】
別の実施形態によれば、電子デバイスは、第１及び第２の無線ローカルエリアネットワークアンテナを備え、アンテナ構造体は、第１の無線ローカルエリアネットワークアンテナと第２の無線ローカルエリアネットワークアンテナとの間の分離を提供するアンテナ分離要素である。
【００５４】
別の実施形態によれば、電子デバイスは、第１及び第２の無線ローカルエリアネットワークが形成されたプリント回路と、プリント回路と平行な面を有する筐体と、筐体の面上の少なくとも１つのタッチセンサを含む入出力回路とを含む。
【００５５】
上記は単なる例示に過ぎず、説明された実施形態に対して様々な修正を実施することができる。上記の実施形態は、個々に、又は任意の組み合わせで実装することができる。
【図１】
2018207491.tif 000003
【図２】
2018207491.tif 000004
【図３】
2018207491.tif 000005
【図４】
2018207491.tif 000006
【図５】
2018207491.tif 000007
【外国語明細書】
2018207491000001.pdf